(57)【要約】無線ネットワークを構成するための方法において、無線アクセスネットワークはフェムトサブネットについての第１のカラーコード及びマクロサブネットについての第２のカラーコードを確立する。フェムトサブネットは複数のフェムトセルを含み、マクロサブネットは少なくとも１つのマクロセルを含む。マクロサブネットはフェムトサブネットを境界形成している。無線アクセスネットワークは、マクロセルを境界形成している複数のフェムトセルを特定し、確立された第１及び第２のカラーコードをフェムトサブネットの特定された境界フェムトセルに割り当てる一方、確立された第１のカラーコードのみをフェムトサブネットの非境界形成フェムトセルに割り当てる。
2011501505.tif 000002
【特許請求の範囲】
【請求項１】
無線ネットワークを構成するための方法であって、
無線アクセスネットワーク内で、フェムトサブネットに対する第１のカラーコード及びマクロサブネットに対する第２のカラーコードを確立するステップであって、該フェムトサブネットは複数のフェムトセルを含み、該マクロサブネットは少なくとも１つのマクロセルを含み、該マクロサブネットがフェムトサブネットを境界形成している、確立ステップ、
前記複数のフェムトセルのうちのどれが前記マクロセルを境界形成しているかを特定するステップ、
前記確立された第１及び第２のカラーコードを前記フェムトサブネットにおける前記特定された境界フェムトセルに割り当てる第１の割当てステップ、及び
前記確立された第１のカラーコードのみを前記フェムトサブネットにおける非境界形成フェムトセルに割り当てる第２の割当てステップ
を備える方法。
【請求項２】
請求項１の方法において、前記割当てステップが、前記確立された第２のカラーコードのみを前記マクロサブネットにおける前記マクロセルに割り当てるものである、方法。
【請求項３】
請求項２の方法であって、さらに、
前記特定された境界フェムトセル内で、前記確立された第１のカラーコードを１次カラーコードとして、前記確立された第２のカラーコードを２次カラーコードとしてブロードキャストする第１のブロードキャストステップ、及び
前記マクロセル内で、前記確立された第２のカラーコードのみを１次カラーコードとしてブロードキャストする第２のブロードキャストステップ
を備える方法。
【請求項４】
請求項３の方法であって、さらに、
前記フェムトサブネットにおける移動局から、前記第１及び第２のブロードキャストステップに応じて登録メッセージを受信するステップ、及び
前記受信された登録メッセージに応じて前記マクロサブネットから前記フェムトサブネットへの前記移動局のアイドルハンドオフをトリガするステップ
を備える方法。
【請求項５】
請求項４の方法であって、さらに、
前記移動局によって、前記移動局で受信された以前の１次カラーコードとは異なる前記確立された第１のカラーコードのみを受信したことに応じて前記登録メッセージを生成するステップを備える方法。
【請求項６】
請求項５の方法であって、さらに、
前記マクロサブネットにおける移動局から、前記第１及び第２のブロードキャストステップに応じて登録メッセージを受信するステップ、及び
前記受信した登録メッセージに応じて前記フェムトサブネットから前記マクロサブネットへの前記移動局のアイドルハンドオフをトリガするステップ
を備える方法。
【請求項７】
請求項６の方法であって、さらに、
前記移動局によって、前記確立された第２のカラーコードを１次カラーコードとして受信したことに応じて前記登録メッセージを生成するステップを備え、該１次カラーコードは前記移動局で受信された以前の１次カラーコードとは異なるものである、方法。
【請求項８】
請求項１の方法において、前記特定するステップが、前記フェムトサブネットにおける前記複数のフェムトセルの各々の地理的位置に基づいて前記境界フェムトセルを特定するものである、方法。
【請求項９】
請求項１の方法において、前記割当てステップが、前記確立された第１のカラーコードを前記特定された境界フェムトセルの各々に対する１次カラーコードとして割り当て、前記確立された第２のカラーコードを前記特定された境界フェムトセルの各々に対する２次カラーコードとして割り当て、前記確立された第２のカラーコードを前記マクロセルに対する１次カラーコードとして割り当て、前記確立された第１のカラーコードを前記マクロセルに対する２次カラーコードとして割り当てるものであり、該方法がさらに、
移動局によって、マクロセルの境界セクタ内でブロードキャストされた２次カラーコードを受信することに応じて前記マクロサブネットから前記フェムトサブネットへのハンドオフをトリガするために準備するステップ
を備える方法。
【請求項１０】
請求項９の方法であって、さらに、
前記フェムトサブネットにおける前記移動局から、登録メッセージを受信するステップ、及び
前記受信された登録メッセージに応じて前記マクロサブネットから前記フェムトサブネットへの前記移動局のアイドルハンドオフをトリガするステップ
を備える方法。
【発明の詳細な説明】
【技術分野】
【０００１】
この特許出願は、２００７年１２月１２日出願の仮特許出願第６０／９６０７６８号に対する３５Ｕ.Ｓ.Ｃ.§１１９(ｅ)の優先権を主張するものであり、その内容全体が参照としてここに取り入れられる。
【背景技術】
【０００２】
フェムト基地局は基本的に、屋内（例えば、家屋又はオフィス内）に設置され、ケーブル、ＤＳＬ、構内ファイバ光リンク又は同様のＩＰバックホール技術を介してインターネットに接続される低コスト及び低電力の基地局（ＢＳ）送受信機である。この接続はフェムト基地局を無線オペレータのコアネットワークに統合するのに使用される。
【０００３】
フェムト基地局はフェムトセルと云われる地理的エリアを単一のキャリア又はチャネルを介してサービングする。フェムトセルは通常、従来のマクロセルよりも小さい地理的エリア又は加入者顧客をカバーする。例えば、フェムト基地局は通常、ビル又は家のような地理的エリアに無線カバレッジを与えるが、従来のマクロ基地局は都市又は街全体のような広いエリアに無線カバレッジを与える。フェムトセルの機能は無線ＬＡＮ（ローカルエリアネットワーク）のものと同様であり、カバレッジエリアを拡張し、セルラネットワークからユーザの負荷を軽減するための低コストな手段をオペレータに提供する。
【０００４】
フェムトセルを含む無線ネットワークでは、アイドル状態の移動局（以下、アイドル移動局という）は、セルに入ると、セクタパラメータメッセージのようなブロードキャスト・オーバーヘッドメッセージを周知のブロードキャスト制御チャネルで受信する。現在の３ＧＰＰ２  ＣＤＭＡ２０００  ＥＶＤＯ規格（例えば、３ＧＰＰ２  ＣＤＭＡ２０００  ＥＶＤＯ規格「ｃｄｍａ２０００高速パケットデータ・エアインターフェイス規格」３ＧＰＰ２  Ｃ.Ｓ００２４−Ｂ、Ｖｅｒ.２.０（２００７年３月））では、セクタパラメータメッセージは１以上のカラーコードを含む。そのカラーコードは、ビットのシーケンスとして周期的にブロードキャストされるものであり、通信ネットワークにおける特定のサブネットを識別するのに使用される。
【０００５】
移動局はアイドルモード中に、カラーコードのような受信したセクタパラメータにおける変化に関してブロードキャスト制御チャネルを周期的にモニタ（「目を覚まして」受信する）する。従来では、特定のサブネットの境界エリアに位置する基地局は１次及び２次カラーコード双方を送信する。１次カラーコードは基地局又はセルが存在するサブネットに対応付けられたカラーコードであり、一方、２次カラーコードは境界を形成するサブネットを識別する。１次及び２次カラーコードのブロードキャストは移動局に、それらが特定のサブネットの境界エリアにあることを示す。
【０００６】
各境界形成サブネット内に位置する基地局によって１次及び２次カラーコードをブロードキャストすることで空間的ヒステリシスが与えられ、ピンポン現象が抑制される。現在のＥＶＤＯ規格では、２次カラーコードメカニズムは空間ヒステリシスを提供して、移動体が２次カラーコードによってカバーされる境界エリアにあるときにいずれかの移動体がアイドルハンドオフを行うことを抑止する。この場合では、２次カラーコードが境界形成マクロセルで適用される場合、比較的遅く移動する移動体は境界形成マクロセルを出た後でなければハンドオフを行うことができない。これらの移動体は比較的遅く移動するので、境界形成マクロセルを出るのに移動体が必要とする期間は比較的長い。この（比較的長くなり得る）期間中に、移動体はフェムトセルによってもマクロセルによってもサービングされず、これによって許容できないサービス中断がもたらされる。
【発明の概要】
【課題を解決するための手段】
【０００７】
実施例は無線ネットワークを構成するための方法に関する。
【０００８】
少なくとも１つの実施例では、無線アクセスネットワークは第１のカラーコードをフェムトサブネットに、第２のカラーコードをマクロサブネットに確立する。フェムトサブネットは複数のフェムトセルを含み、マクロサブネットは少なくとも１つのマクロセルを含む。マクロサブネットはフェムトサブネットを境界形成する。無線アクセスネットワークは複数のフェムトセルのうちのどれがマクロサブネットを境界形成するのかを特定し、確立されたカラーコードをフェムトサブネット内のフェムトセルに割り当てる。
【０００９】
フェムトサブネットにおける境界形成フェムトセル内で、無線アクセスネットワークは、フェムトセル内の基地局を介して第１の確立されたカラーコードを１次カラーコードとして、第２の確立されたカラーコードを２次カラーコードとしてブロードキャストする。無線アクセスネットワークはマクロセル内では第２の確立されたカラーコードのみを１次カラーコードとしてブロードキャストする。フェムトサブネット内の基地局からの登録メッセージに応答して、無線アクセスネットワークはマクロサブネットからフェムトサブネットへの移動局のアイドルハンドオフをトリガする。
【００１０】
或いは、移動局からの登録メッセージに応じて、無線アクセスネットワークはフェムトサブネットからマクロサブネットへの移動局のアイドルハンドオフをトリガすることができる。
【００１１】
本発明は以下に与えられる詳細な説明及び添付図面からより完全に理解でき、図面では同様の要素は同様の参照符号で表され、これらは例示のためだけに与えられるので本発明を限定するものではない。
【図面の簡単な説明】
【００１２】
【図１】図１は実施例が実施される通信システムの一部を示す図である。
【図２】図２は実施例によりフェムトカバレッジ環境内でカラーコードをフェムトセルに割り当てるための方法を示すフローチャートである。
【発明を実施するための形態】
【００１３】
以降の記載では、本発明の完全な理解を与えるために、説明の目的であって限定することなく、特定のアーキテクチャ、インターフェイス、技術等の具体的詳細を説明する。しかし、当業者であれば、本発明は、これらの具体的詳細から離れない他の実施例において実施できる。ある例示では、周知のデバイス、回路及び方法の詳細な説明は、本発明の説明を不要な詳細によって不明瞭としないように省略されている。本発明の全ての原理、側面及び実施例やその具体例は構造的均等物及び機能的均等物の双方を包含するものとする。さらに、そのような均等物は現在周知の均等物、将来開発される均等物の双方を含むものとする。
【００１４】
実施例は適当な演算環境で実施されるものとしてここに記載される。要件ではないが、実施例は、１以上のコンピュータプロセッサ又はＣＰＵで実行されるプログラムモデル又は機能プロセスのようなコンピュータ実行可能なインストラクションの一般的な意味で記載される。一般に、プログラムモジュール又は機能プロセスは、特定のタスクを実行し又は特定のアブストラクトデータタイプを実施するルーチン、プログラム、オブジェクト、コンポーネント、データ構造等を含む。ここに記載されるプログラムモジュール及び機能プロセスは既存の通信ネットワークにおける既存のハードウェアを用いて実施できる。例えば、ここに記載されるプログラムモジュール及び機能プロセスはフェムト管理システム（ＦＭＳ）のような既存の無線ネットワーク制御ノードで既存のハードウェアを用いて実施できる。
【００１５】
以降の記載では、特に断らない限り、実施例は１以上のプロセッサによって実行される（例えば、フローチャートの形式での）挙動及び動作のシンボル表示を参照して記載される。このように、そのような（コンピュータに実行されるものとして度々言及される）挙動及び動作は構造化された形式のデータを表す電気信号のプロセッサによる操作を含む。この操作はデータを変換し、それをコンピュータのメモリシステム内の各位置に保持し、それは当業者にはよく理解される態様でコンピュータの動作を再構成し、或いは変更する。
【００１６】
ここに記載されるように、用語「ユーザ」は用語「移動局」と同義語とみなされ、互換可能に使用される。
【００１７】
図１は実施例が実施される通信システムの一部分を示す。通信システム１０は無線アクセスネットワーク（ＲＡＮ）を含む。ＲＡＮはマクロサブネットＭ及びフェムトサブネットＦを含む。フェムトサブネットとは、比較的小さい地理的エリアにおける隣接フェムトセルのグループである。例えば、フェムトサブネットはビル内のフェムトセルのグループであってもよいし、マンション、オフィスの集合等、ビルのグループであってもよい。
【００１８】
図１に示すＲＡＮは、非限定的な例の態様として、符号分割多重アクセスの無線アクセスネットワーク（ＣＤＭＡ  ＲＡＮ）である。ＣＤＭＡ  ＲＡＮでは、無線アクセスはＣＤＭＡ拡散コードを用いて割り当てられた個々の無線チャネルとともにＣＤＭＡに基づく。もちろん、他のアクセス方法も採用され得る。
【００１９】
マクロサブネットＭはＲＡＮ制御ノード１００Ｒ及びマクロ基地局１０２Ｍを含む。ＲＡＮ制御ノード１００Ｒは、例えば、階層ネットワークアーキテクチャにおける無線ネットワークコントローラ（ＲＮＣ）又はフラットネットワークにおけるセッション基準ネットワークコントローラ（ＳＲＮＣ）であればよい。ＲＡＮ制御ノード１００Ｒはマクロ基地局１０２Ｍに１以上のパケット及び／又は回路交換ネットワーク（例えば、１以上のインターネットプロトコル（ＩＰ）ネットワーク等）を介してリンクされる。
【００２０】
マクロ基地局１０２Ｍは無線カバレッジをマクロセル１００Ｍに与え、マクロセル１００Ｍ内でブロードキャストされる固有のアイデンティティによって識別される。図１に示すように、ＲＡＮ制御ノード１００Ｒはマクロ基地局１０２Ｍとリンクを維持する。
【００２１】
マクロサブネットＦはフェムト管理システム（ＦＭＳ）１００Ｆ及び複数のフェムトセルＦＣを含む。フェムトセルＦＣの各々はそこに位置するフェムト基地局ＦＢＳを有する。なお、説明の便宜上、図１には単一のフェムト基地局ＦＢＳのみを示す。
【００２２】
フェムトサブネットＦ内でＦＭＳ１００Ｆは同質であり、マクロサブネットＭの上記のＲＡＮ制御ノードと同じ機能を持つ。そのような機能は周知であるため、詳細な説明は省略する。ＦＭＳ１００Ｆは１以上のパケット及び／又は回路交換ネットワーク（例えば、１以上のインターネットプロトコル（ＩＰ）ネットワーク等）を介してフェムト基地局ＦＢＳとリンクされる。
【００２３】
各フェムトセルＦＣはセル内でブロードキャストされる固有のアイデンティティによって識別される。ここで使用される用語「フェムト基地局」は「ピコ基地局」又は「マイクロ基地局」と同義である。図１では、フェムトセルＦＣは内側即ち非境界形成フェムトセルであるが、フェムトセルＦＣ１、ＦＣ２及びＦＣ３はマクロサブネットＭを直接境界形成する境界フェムトセルである。マクロセル１００Ｍは境界形成マクロサブネットＭ内のマクロセルである。
【００２４】
ノード１００Ｒ、１００Ｆ及びＦＢＳは、それぞれＲＡＮ制御ノード、ＦＭＳ及びフェムト基地局のことであり、ＣＤＭＡ  ＲＡＮの例に従う。しかし、用語「無線ネットワークコントローラ」及び「基地局」は他のタイプの無線アクセスネットワークに対する同様の機能を持つノードも包含する。
【００２５】
他のタイプの無線アクセスネットワークを包含する他のタイプの通信システムとは、例えば、ユニバーサル移動通信システム（ＵＭＴＳ）、移動通信のためのグローバルシステム（ＧＳＭ）、高度携帯電話サービス（ＡＭＰＳ）システム、狭帯域ＡＭＰＳシステム（ＮＡＭＰＳ）、トータルアクセス通信システム（ＴＡＣＳ）、パーソナルデジタルセルラ（ＰＤＣ）、ＥＩＡ／ＴＩＡ  ＩＳ−９５において記載される符号分割多重アクセス（ＣＤＭＡ）システム、Worldwide Interoperability for Microwave Access（ＷｉＭＡＸ）、ウルトラモバイルブロードバンド（ＵＭＢ）、及びロングタームエボリューション（ＬＴＥ）等である。
【００２６】
図１は単一のＲＡＮ制御ノード１００Ｒ、ＦＭＳ１００Ｆ、フェムト基地局ＦＢＳ及びマクロ基地局１０２Ｍのみを示すが、ＲＡＮは任意数のＲＡＮ制御ノード、ＦＭＳ及び基地局（フェムト及び／又はマクロ）を含むことができ、それが任意数の移動局をサービングする。
【００２７】
周知のように、移動局はフェムト基地局及び／又はマクロ基地局１０２Ｍとエアインターフェイスを介して通信する。ここに記載される移動局とは、例えば、ＲＡＮと音声及び／又はデータと通信する携帯電話（「セルラ」電話）、ポータブルコンピュータ、ポケットコンピュータ、ハンドヘルドコンピュータ、パーソナルデジタルアシスタント（ＰＤＡ）、車載移動体デバイス等である。
【００２８】
マクロセル及びフェムトセルのカバレッジサイズは大きく異なるので、マクロ及びフェムトカバレッジが重複するときに、重複するマクロセルで第２のカラーコードを適用することによって許容できないサービス中断がもたらされる。
【００２９】
より具体的には、上述のように現在のＥＶＤＯ規格では、第２のカラーコードによってカバーされる境界エリアに移動体があるときに、第２のカラーコードメカニズムはいずれかの移動体がアイドルハンドオフを行うことを抑止する空間ヒステリシスを与える。この場合、第２のカラーコードが境界形成マクロセルで適用される場合、比較的遅く移動する移動体は境界形成マクロセルから出た後のみハンドオフを行う。これらの移動体は比較的遅く移動するので、移動体が境界形成マクロセルを出るのに要する期間は比較的長くなる。この（比較的長くなる）期間中、移動体はフェムトセル又はマクロセルのいずれにもサービングされず、許容できないサービス中断をもたらすことになる。
【００３０】
ここに記載する実施例は、重複するマクロセルでの２次カラーコードの不要な送信を減らすことによってそのようなサービス中断を抑制する。２次カラーコードはフェムトカバレッジゾーンの境界セルでのみ送信される。
【００３１】
図２はフェムトサブネット内のフェムトセルにカラーコードを割り当てるための実施例による方法のフローチャートである。図２の方法で示すステップはＲＡＮによって、例えば、図１のＦＭＳ１００Ｆのような無線ネットワーク制御ノードによって実行できる。例示目的として、図２に示す実施例はＦＭＳ１００Ｆで実行されるものとして記載する。
【００３２】
図２を参照すると、ステップＳ２０２において、ＦＭＳ１００Ｆは３次元フェムトカバレッジ空間におけるフェムトセルの地理位置に基づいてフェムトサブネットを構成するフェムトセルのグループを定義する。フェムトセルのフェムトサブネットへのグルーピングは位置及び所与のエリアにおけるフェムトセル数に依存し得る。所与のカバレッジエリア内の位置及びフェムトセル数はＦＭＳ１００Ｆにおいて既知である。
【００３３】
ステップＳ２０４において、ＦＭＳ１００Ｆはフェムトサブネットによって与えられたフェムトカバレッジの境界を特定するためにフェムトサブネット内の境界フェムトセルを識別する。フェムトカバレッジの境界は、一般的には重複する無線周波数（ＲＦ）カバレッジでマクロサブネットに隣接する。境界形成フェムトセルはフェムトサブネットの外側部分に位置するフェムトセルである。言い換えると、境界形成フェムトセルはマクロサブネットに隣接して位置する、又は部分的に重複するフェムトセルである。
【００３４】
図１を参照すると、ステップＳ２０４において、ＦＭＳ１００ＦはフェムトセルＦＣ１、ＦＣ２及びＦＣ３を境界形成フェムトセルとして特定することができる。ＦＭＳ１００Ｆは、地理的フェムトサブネットカバレッジのエッジ（即ち境界）及びマクロサブネットカバレッジのエッジ（即ち境界）の知識（その各々がＦＭＳ１００Ｆにおいて知得されている）に基づいて、フェムトセルＦＣ１、ＦＣ２及びＦＣ３が境界形成フェムトセルであることを特定する。一例では、この地理的情報はフェムトセル及び／又はマクロセルが配備されるときに実地で取得され得る。
【００３５】
図２をさらに参照すると、ステップＳ２０６において、ＦＭＳ１００Ｆは同じ単一の１次カラーコードをサブネットＦ内の各非境界形成フェムトセルＦＣに割り当てる。また、ステップＳ２０６において、ＲＮＣは１次カラーコードをサブネットＭ内のマクロセル１００Ｍに割り当てる。マクロセル１００Ｍに割り当てられた１次カラーコードは内側フェムトセルＦＣに割り当てられた１次カラーコードとは異なる。１次カラーコードは任意の周知の態様で割り当てることができる。
【００３６】
ステップＳ２０８において、ＦＭＳ１００Ｆは１次及び２次カラーコードを境界形成フェムトセルＦＣ１−ＦＣ３の各々に割り当てる。１次及び２次カラーコードは任意の周知の態様で割り当てることができる。
【００３７】
少なくともこの実施例によると、境界形成フェムトセルＦＣ１−ＦＣ３に割り当てられた１次カラーコードは内側フェムトセルＦＣに割り当てられた１次カラーコードと同じである。境界形成フェムトセルＦＣ１−ＦＣ３に割り当てられた２次カラーコードはマクロサブネットＭ内のマクロセル１００Ｍに割り当てられた１次カラーコードと同じである。一度割り当てられると、各内側フェムトセルＦＣ、境界形成フェムトセルＦＣ１−ＦＣ３及びマクロセル１００Ｍは、それらに割り当てられたカラーコードをブロードキャストする。
【００３８】
上述のように、アイドルモードにあるとき、移動局はカラーコードのようなセクタパラメータの変化に関して、ブロードキャストされる制御チャネルを周期的にモニタする。セクタパラメータが変化する一例として移動局がサブネット間を移動するとき等が挙げられる。この例では、図１に戻ると、アイドルな移動局がマクロサブネットＭからフェムトサブネットＦに移動すると、移動局は新たなカラーコードを含むブロードキャストメッセージを受信する。新たな１次カラーコード（以下、更新又は現在のカラーコードという）は以前に受信したカラーコード（以下、以前のカラーコードという）とは異なるが、新たな２次カラーコードは以前の１次カラーコードと同じである。この時点で、新たな２次カラーコードは以前の１次カラーコードと同じであるため、登録及びアイドルハンドオフはトリガされない。
【００３９】
移動局はフェムトサブネットＦに向けて更に、また更に移動し、最終的に２次カラーコードはもはや送信されなくなる。例えば、移動局がフェムトセルＦＣ２から内側フェムトセルＦＣに移動すると、移動局はもはや２次カラーコードを受信しなくなる。この時点で、移動局は、マクロセルＭＣから受信された以前の１次カラーコードとは異なる更新１次カラーコードのみを受信する。結果として、移動局は登録及びアイドルハンドオフをトリガする。即ち、アイドルな移動局は登録メッセージをＲＡＮに送信し、移動局をマクロサブネットＭからフェムトサブネットＦにハンドオフするために、マクロサブネットＭのＲＡＮ制御ノード１００ＲとフェムトサブネットＦのＦＭＳ１００Ｆの間でセッション転送が行われる。
【００４０】
代替の実施例では、移動局は、各々が以前の１次カラーコードとは異なる更新１次及び２次カラーコードを受信することに応じて、アイドル登録及びハンドオフをトリガすることができる。例えば、移動局が、移動局が以前に位置したマクロサブネットとは異なるマクロサブネットを境界形成する境界形成フェムトセルに入ってくると、移動局はアイドル登録及びハンドオフをトリガすることができる。
【００４１】
ここでの説明の目的のため、移動局が２次カラーコードを以前に受信していたものとすると、移動局は異なるカラーコードとしての２次カラーコードを全く受信しない。
【００４２】
同様のアイドルハンドオフ処理はまた、移動局がフェムトサブネットＦからマクロサブネットＭに移動するときに起こる。しかし、アイドルハンドオフは異なる態様でトリガされる。上述のように、アイドル移動局がマクロサブネットＭからフェムトサブネットＦに移動するときには、移動局が以前の１次カラーコードとは異なる更新１次カラーコードのみを受信し、かつ、２次カラーコードをもはや受信しない場合に、アイドルハンドオフがトリガされる。これはまた、各々がマクロサブネットＭに割り当てられるカラーコードとは異なる１次及び２次カラーコードを受信するものとして特徴づけられる。
【００４３】
これに対して、移動局がフェムトサブネットＦからマクロサブネットＭに移動するときは、移動体が２次カラーコードを現在受信しているか否かにかかわらず、以前の１次カラーコードとは異なる更新１次カラーコードを受信することに応じて登録メッセージ及びアイドルハンドオフがトリガされる。即ち、例えば、移動局がマクロサブネットに入り、更新された異なる１次カラーコードを受信し始めるとすぐに、登録及びアイドルハンドオフがトリガされる。
【００４４】
実施例によると、カラーコード規則及び／又はカラーコードの使用における変化は、特定のセルラカバレッジエリアに入る及び／又はそこを去る移動局に対して透明である。言い換えると、発明の方法を実施するために移動局で変更が行われる必要はない。
【００４５】
ここで述べる実施例によると、カラーコードのグループはマクロカバレッジサブネット及びフェムトカバレッジサブネットに対して定義され、それ専用である。移動局はまた、初期セッション構成中に１次及び２次カラーコードで構成される。移動局が「目覚め」、ブロードキャストメッセージを読み取るとき、移動局は、１次カラーコードがマクロセルのカラーコードからフェムトセルのカラーコードに変わり、以前の１次マクロセルカラーコードが現在では２次カラーコードとなったことを認識する。カラーコードにおいて認識された変化に基づいて、移動局はそれがマクロカバレッジからフェムトサブネットの境界に入りつつあると判断する。
【００４６】
同様に、移動局が１次カラーコードにおけるフェムトカラーコードからマクロカラーコードへの変化を確認すると、移動局はそれがフェムトサブネットからマクロサブネットへ外れつつあると判断する。この場合、１次及び２次カラーコードを引き続きマクロサブネット内のマクロセルに割り当てつつも無用なサービス中断を抑制するために２次カラーコードを無視する新たな規則が適用される。
【００４７】
一実施例では、隣接フェムトサブネットの１次カラーコードはマクロサブネットの２次カラーコードとして割り当てられるが、移動局は、マクロセルへのハンドオフをトリガするか否かを判断するときにマクロ境界セクタにおいては２次カラーコードを無視する。
【００４８】
上記の実施例では、２次カラーコードは、２つの境界形成サブネットのうちの一方のみに（例えば、マクロセル（単数）とフェムトセル（複数）のサイズの差が大きいことによってフェムトサブネット側で）割り当てられる。フェムト側での２次コードは、登録及びハンドオフをフェムトサブネットに発行する前に、移動局が更にフェムトカバレッジに向けて移動することを要求し、それにより空間ヒステリシスを与えてピンポン現象を抑制する。
【００４９】
移動局がフェムトサブネットからマクロサブネットへ移動するとき、それがフェムトサブネットに従属している場合には２次カラーコードが無視されるので、ハンドオフが直ちにトリガされる。従って、移動局は、マクロセブネットへのハンドオフがトリガされるまでにマクロカバレッジエリアに向けて比較的長い距離を移動する必要がなくなる。
【００５０】
他の実施例では、フェムトサブネットに従属するカラーコードが、移動局がマクロサブネットの外側エッジに近付き、フェムトカバレッジが近くにあることを移動局に通報するためにマクロサブネットの境界セクタによってブロードキャストされる２次カラーコードとして使用され得る。即ち、マクロサブネットによってブロードキャストされる２次カラーコードは、移動局がフェムトサブネットに近付いていることを移動局に示す。
【００５１】
マクロサブネットからの２次カラーコードを受信することに応じて、移動局はマクロサブネットからフェムトサブネットへのハンドオフをトリガするよう準備することができる。例えば、２次カラーコードを受信するのに応じて、移動局は、マクロセルとは反対にフェムトセルに相当する態様でマクロサブネットの２次カラーコードを用いて、フェムトセルの近くのパイロットを探し始める。移動局はまた、マクロセルとは反対にフェムトセルを利用するために電力調整を行う。
【００５２】
以上に本発明が記載されたが、同じものが多数の態様で変形され得ることは明らかである。そのような変形例は本発明から離れたものとはみなされず、そのような全ての修正例は本発明の範囲内に含まれるものとする。
【図１】
2011501505.tif 000003
【図２】
2011501505.tif 000004
【国際調査報告】
2011501505.tif 000005
2011501505.tif 000006